(57)【特許請求の範囲】
【請求項１】
目地部を介して設けられた左右の建物の一方の建物の目地部側の天井材の先端部より上部が後方へ傾斜するように、該一方の建物の天井躯体あるいは吊り束に取付けられた傾斜プレートと、前記天井材と対応する部位の他方の建物の目地部側の壁面に該天井材間の天井目地部を覆い、かつ先端部が上方へ回動するように取付けられた目地天井カバーと、この目地天井カバーをほぼ水平状態に保持でき、かつ該目地天井カバーの上方への回動が可能な目地天井カバー吊り下げ杆と、前記目地天井カバーの先端部に取付けられた、該目地天井カバーの先端部が上方へ回動する時に、前記傾斜プレート上を移動する移動部材とからなることを特徴とする天井用目地装置。
【請求項２】
傾斜プレートは一方の建物の天井部材に対して４５度以下に設定されていることを特徴とする請求項１記載の天井用目地装置。
【請求項３】
移動部材は目地天井カバーの先端部に取付けられ、上部は該目地天井カバーの先端部の上部に位置する部位にローラが設けられ、目地天井カバーの先端部の下部の位置する部分が曲面部に形成されていることを特徴とする請求項１記載の天井用目地装置。
【発明の詳細な説明】
【技術分野】
【０００１】
本発明は目地部を介して設けられた左右の建物の目地部の天井部分を覆う天井用目地装置に関する。
【背景技術】
【０００２】
従来の天井用目地装置は天井目地部を覆う目地天井カバーを、目地部が地震で狭くなると、押し上げ杆で目地天井カバーを上方へ持ち上げ、天井材との衝突を防止するものが使用されている。
【０００３】
しかしながら、このような天井用目地装置は目地天井カバーの先端部側を押し上げ杆に係合できるようにするとともに、後端部を上下移動可能に取付けなければならず、構造が複雑になり、かつ目地天井カバーを目地部が狭くなる時に、目地天井カバーの先端部と後端部とに加わる自重のバランスで上方へ移動させるため、スムーズに移動させることができず、かつ目地天井カバーを損傷しやすいという欠点があった。
【先行技術文献】
【特許文献】
【０００４】
【特許文献１】特許第３６８８５１０号
【発明の概要】
【発明が解決しようとする課題】
【０００５】
本発明は以上のような従来の欠点に鑑み、目地部が狭くなるような地震の揺れ動き時には、目地天井カバーの遊端部である先端部を上方へ案内できるようにして、確実で、かつスムーズに目地天井カバーを回動移動させることができ、損傷を防止するとともに、目地天井カバーの先端部、近傍部位の天井材にでも、安全にダウンライト等を設置することが可能な天井用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた左右の建物の一方の建物の目地部側の天井材の先端部より上部が後方へ傾斜するように、該一方の建物の天井躯体あるいは吊り束に取付けられた傾斜プレートと、前記天井材と対応する部位の他方の建物の目地部側の壁面に該天井材間の天井目地部を覆い、かつ先端部が上方へ回動するように取付けられた目地天井カバーと、この目地天井カバーをほぼ水平状態に保持でき、かつ該目地天井カバーの上方への回動が可能な目地天井カバー吊り下げ杆と、前記目地天井カバーの先端部に取付けられた、該目地天井カバーの先端部が上方へ回動する時に、前記傾斜プレート上を移動する移動部材とで天井用目地装置を構成している。
【発明の効果】
【０００９】
以上の説明から明らかなように、本発明にあっては次に列挙する効果が得られる。
（１）請求項１により、地震で目地部が狭くなると、目地天井カバーの先端部を傾斜プレートに沿って、上方へ回動させることができる。
したがって、目地天井カバーをスムーズに、先端部を上方へ回動させることができるとともに、該上方への回動によって目地天井カバーが損傷するのを効率よく防止することができる。
（２）前記（１）によって、目地天井カバーをほぼ水平状態に保持でき、かつ目地天井カバーの上方への回動が可能な目地天井カバー吊り下げ杆を用いているので、目地天井カバーが上方へ回動しても、目地天井カバーの自重によって自動的に元の状態へ戻すことができる。
（３）前記（１） によって、一方の建物の目地部側の天井材の先端部より上部が後方へ傾斜する傾斜プレートを用いているので、一方の建物の目地部側の天井材の近傍にダウンライト等を取付けても、目地天井カバーの動作に関係なく、安全に取付けることができる。
（４）前記（１）により、目地天井カバーの幅寸法を目地部の幅寸法と同じ寸法に設定することができ、左右の建物の揺れ動きを目地部の幅寸法に設定することができる。
（５）請求項２は前記（１）〜（４）と同様な効果が得られるとともに、目地天井カバーをよりスムーズに上方へ回動させることができる。
【図面の簡単な説明】
【００１０】
【図１】本発明を実施するための第１の形態の平面図。
【図２】図１の２−２線に沿う断面図。
【図３】本発明を実施するための第１の形態の底面図。
【図４】図２の４−４線に沿う断面図。
【図５】本発明を実施するための第１の形態の目地天井カバーの説明図。
【図６】本発明を実施するための第１の形態の目地部が狭くなるように揺れ動いた動作説明図。
【図７】本発明を実施するための第１の形態の目地部が広くなるように揺れ動いた動作説明図。
【図８】本発明を実施するための第１の形態の左右の建物が異なる前後方向に揺れ動いた動作説明図。
【図９】本発明を実施するための第２の形態の平面図。
【図１０】図９の１０−１０線に沿う断面図。
【図１１】本発明を実施するための第２の形態の目地天井カバー吊り下げ杆の動作説明図。
【図１２】本発明を実施するための第３の形態の平面図。
【図１３】図１２の１３−１３線に沿う断面図。
【図１４】本発明を実施するための第３の形態の目地部が狭くなる時の動作説明図。
【発明を実施するための形態】
【００１１】
以下、図面に示す本発明を実施するための形態により、本発明を詳細に説明する。
【００１２】
図１ないし図８に示す本発明を実施するための第１の形態において、１は目地部２を介して設けられた左右の建物３、３の天井部分の目地部を覆う本発明の天井用目地装置で、この天井用目地装置１は一方の建物３の天井躯体３ａに複数個の吊り束４や複数個の吊りボルト５で取付けられた天井材６の目地部側の先端部より、上部が後方へほぼ４５度傾斜するように、該一方の建物３の天井躯体３ａや吊り束４に取付けられた傾斜プレート７と、前記天井材６と対応する部位の他方の建物３の目地部側の壁面８に、該天井材６間の天井目地部を覆い、かつ先端部が上方へ回動するようにヒンジ部材９で取付けられた目地天井カバー１０と、この目地天井カバー１０をほぼ水平状態に保持でき、かつ該目地天井カバー１０の上方への回動が可能な複数個のチェン１１を用いた目地天井カバー吊り下げ杆１２と、前記目地天井カバー１０の先端部に取付けられた、該目地天井カバー１０の先端部が上方へ回動する時に、前記傾斜プレート７上を移動する移送部材１３と、前記目地部側の天井材６の先端部の底面に固定された、前記目地天井カバー１０の先端部との間を覆うカバー体１４とで構成されている。
【００１３】
前記移動部材１３は目地天井カバー１０が目地天井カバー吊り下げ杆１２で吊り下げられ、ほぼ水平状態になっている状態で、先端部に取付けられたローラ１５が前記目地天井カバー１０を取付けているヒンジ部材９の支点部位よりも上部の位置の前記傾斜プレート７に支持され、該傾斜プレート７を前記ローラ１５が上方へ少し移動した状態で、前記目地天井カバー１０の先端部の下部に位置する部分の曲面部１６が傾斜プレート７に当接するように形成されている。
【００１４】
上記構成の天井用目地装置１は通常時には図１ないし図３に示すように、左右の建物３、３間の天井目地部２は天井材６、カバー体１４および目地天井カバー１０で覆われた状態となっている。
【００１５】
地震で左右の建物３、３が揺れ動き、目地部２が狭くなると、図６に示すように、目地部２が狭くなると目地天井カバー１０の先端部が一方の建物３方向へ押し付けられた状態で、ヒンジ部材９の支点部位よりも上部にローラ１５が位置しているため、目地天井カバー１０はスムーズに先端部が上方へ回動、かつ、移動部材１３の先端部のローラ１５は傾斜プレート７に当接した状態でスムーズに上方へ移動した後、曲面部１６が傾斜プレート７に当接して上方へスライド移動して、その揺れ動きを吸収する。
【００１６】
この時、傾斜プレート７とは目地天井カバー１０の先端部に取付けられた移動部材１３のローラ１５と曲面部１６とが当接するだけで、目地天井カバー１０にキズが付いたりする損傷を確実に防止できる。
【００１７】
揺れ動きが停止し、元の状態の戻ると、目地天井カバー１０の自重によって目地天井カバー１０がほぼ水平状態になったところで、目地天井カバー吊り下げ杆１２で停止されるため、該目地天井カバー１０の先端部と天井材６の先端部との間の隙間１７をカバー体１４で覆った、元の状態へ自動的に戻る。
【００１８】
地震で左右の建物３、３が揺れ動き、目地部２が広くなると、図７に示すように、目地天井カバー１０は目地天井カバー吊り下げ杆１２によってほぼ水平状態を保って、目地天井カバー１０は一方の建物３より離れるように他方の建物３と一体になって移動して、その揺れ動きを吸収するとともに、揺れ動きが停止すると自動的に元の状態へ戻る。
【００１９】
地震により左右の建物３、３が異なる前後方向に揺れ動いた場合、図８に示すように傾斜プレート７と目地天井カバー１０とが異なる前後方向に移動するが、接触している部分はローラ１５部分であるので、スムーズに前後方向にスライド移動させることができる。
【００２０】
[発明を実施するための異なる形態]
次に、図９ないし図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図９ないし図１１に示す本発明を実施するための第２の形態において、前記本発明を実施するための第１の形態と主に異なる点は、リンク１８を用いた目地天井カバー吊り下げ杆１２Ａを用いた点で、このような目地天井カバー吊り下げ杆１２Ａを用いて構成した天井用目地装置１Ａにしても、前記本発明を実施するための第１の形態と同様な作用効果が得られる。
【００２２】
なお、前記目地天井カバー吊り下げ杆１２Ａは中央枢支ピン１９で枢支されたリンク部材２０、２０と、このリンク部材２０の先端部に枢支ピン２１で枢支された他方の建物３の壁面８に固定された取付金具２２と、前記リンク部材２０の下端部に枢支ピン２３で枢支された目地天井カバー１０の先端部寄りの上面に固定された取付金具２４とからなり、目地部２が狭くなるように揺れ動く時の移動部材１３が傾斜プレート７に沿って上方へ移動することにより、中央枢支ピン１９部分が下方に位置して、折りたたまれるように構成されている。
【００２３】
なお、、前記目地天井カバー吊り下げ杆１２Ａは目地天井カバー１０の先端部が上方に回動すると中央枢支ピン１９部分が下方に回動位置するものについて説明したが、本発明はこれに限らず、目地天井カバー１０が水平状態で、への字状態で停止するように中央枢支ピン１９近傍のリンク部材２０の端部に他方のリンク部材２０に当接するストッパーを備えた目地天井カバー吊り下げ杆を用いても同様な作用効果が得られる。
【００２４】
図１２ないし図１４に示す本発明を実施するための第３の形態において、前記本発明を実施するための第１の形態と主に異なる点は、目地天井カバー１０の先端下部に固定された曲面部材１６Ａと、目地天井カバー１０の先端部の上面に取付けられたローラ１５が設けられた先端部が上方へ突出し、傾斜プレート７と当接する複数個のローラ支持アーム２５とで構成した移動部材１３Ａを用いた点で、このような移動部材１３Ａを用いて構成した天井用目地装置１Ｂにしても、前記本発明を実施するための第１の形態と同様な作用効果が得られる。
【産業上の利用可能性】
【００２５】
本発明は目地部を介して設けられた左右の建物の目地部の天井部分を覆う天井用目地装置を製造する産業で利用される。
【符号の説明】
【００２６】
１、１Ａ、１Ｂ：天井用目地装置、
２：目地部、                ３：建物、
３ａ：天井躯体、            ４：吊り束、  
５：吊りボルト、            ６：天井材、
７：傾斜プレート、          ８：壁面、
９：ヒンジ部材、            １０：目地天井カバー、
１１：チェン、
１２、１２Ａ：目地天井カバー吊り下げ杆、
１３、１３Ａ：移動部材、    １４：カバー体、
１５：ローラ、              １６：曲面部、
１６Ａ：曲面部材、          １７：隙間、
１８：リンク、              １９：中央枢支ピン、
２０：リンク部材、          ２１：枢支ピン、
２２：取付金具、            ２３：枢支ピン、  
２４：取付金具、            ２５：ローラ支持アーム。
【図１】
0005390457.tif 000002
【図２】
0005390457.tif 000003
【図３】
0005390457.tif 000004
【図４】
0005390457.tif 000005
【図５】
0005390457.tif 000006
【図６】
0005390457.tif 000007
【図７】
0005390457.tif 000008
【図８】
0005390457.tif 000009
【図９】
0005390457.tif 000010
【図１０】
0005390457.tif 000011
【図１１】
0005390457.tif 000012
【図１２】
0005390457.tif 000013
【図１３】
0005390457.tif 000014
【図１４】
0005390457.tif 000015